(57)【要約】【課題】火薬体の爆発により巻テープがクラッカー本体から飛び出すだけでなく、クラッカー本体から離れてより遠くへ飛んで行くにもかかわわず、テープ屑の回収が容易に行えるクラッカーを提供する。【解決手段】クラッカー１は、筒状のクラッカー本体２に火薬体１８と共に巻テープ２５を仕込み、クラッカー本体２のテープ飛出口３に被せるキャップ体５を設け、キャップ体５に巻テープ２５の一端を繋いでおく。【選択図】図１
2010060238.tif 000002
【特許請求の範囲】
【請求項１】
筒状のクラッカー本体に火薬体と共に巻テープが仕込まれるクラッカーにおいて、前記クラッカー本体のテープ飛出口に被せるキャップ体を設け、該キャップ体に前記巻テープの一端が繋がれていることを特徴とするクラッカー。
【請求項２】
前記キャップ体がキャップ形成用紙を筒状に形成したものの一端側を閉じるよう筒軸周りに捻り固めて構成されており、該キャップ体の閉塞端略中央部に紙の塊である芯部を設ける請求項１に記載のクラッカー。
【請求項３】
前記巻テープが前記クラッカー本体に複数仕込まれており、前記キャップ体と複数の前記巻テープとで前記クラッカー本体から離れて飛んで行く飛行物を構成する請求項１又は請求項２に記載のクラッカー。
【請求項４】
一部が異なる２種類の第一及び第二イラストを表示する装飾手段を設け、該装飾手段が、前記キャップ体の外側面に前記第一イラストにおける前記第二イラストとは異なる一部を表示する第一表示部と、前記クラッカー本体における前記キャップ体により覆われる外側面に前記第二イラストにおける前記第一イラストとは異なる一部を表示する第二表示部と、前記クラッカー本体における前記キャップ体により覆われない外側面に前記第一イラストと前記第二イラストの共通部を表示する第三表示部とで構成されており、前記火薬体を爆発させるまでは前記第三表示部と前記第一表示部とで前記第一イラストを前記クラッカー本体の外側面に表示し、前記火薬体の爆発後は前記第三表示部と前記キャップ体の飛び去りにより出現する前記第二表示部とで前記第二イラストを前記クラッカー本体の外側面に表示する請求項１乃至請求項３の何れか１項に記載のクラッカー。
【請求項５】
前記装飾手段が、烏賊又は蛸を模した第一及び第二イラストを表示する請求項４に記載のクラッカー。
【発明の詳細な説明】
【技術分野】
【０００１】
本発明は、例えばウェディングパーティーや誕生日パーティーで、その場の雰囲気を盛り上げるために使用されるクラッカーに関し、詳しくは、筒状のクラッカー本体に火薬体と共に巻テープが仕込まれ、火薬体の爆発により巻テープがクラッカー本体から飛び出すクラッカーに関する。
【背景技術】
【０００２】
従来のクラッカーには、巻テープの一端がクラッカー本体に繋がれておらず、クラッカー本体から離れて飛んで行く普通タイプ（例えば特許文献１参照）と、巻テープの一端がクラッカー本体に繋がれており、クラッカー本体から離れて飛んで行かず、普通タイプに比べてその場の盛り上げリ感は劣るものの、テープ屑の回収が容易に行える散らからないタイプ（例えば特許文献２参照）の２種類がある。
【０００３】
また、両タイプとも、テープ飛出口の口縁に複数のフラップ（蓋片）を折り曲げ自在に一体連設し、各フラップをテープ飛出口の上に折り畳んで相互に係合連結させることにより、テープ飛出口を開口可能に閉塞する蓋一体型のクラッカー本体を使用しているが、火薬体の爆発により与えられる巻テープの推進力の一部をテープ飛出口の開口に消費するから、テープの延び不良や飛距離減退を生じるという問題があった。
【特許文献１】実開平５−９０１９９号公報
【特許文献２】特開平８−１３６１９６号公報
【発明の開示】
【発明が解決しようとする課題】
【０００４】
本発明の目的は、火薬体の爆発により巻テープがクラッカー本体から飛び出すだけでなく、クラッカー本体から離れてより遠くへ飛んで行くにもかかわわず、テープ屑の回収が容易に行えるクラッカーを提供することにある。
【課題を解決するための手段】
【０００５】
請求項１に係る発明は、筒状のクラッカー本体に火薬体と共に巻テープが仕込まれるクラッカーにおいて、前記クラッカー本体のテープ飛出口に被せるキャップ体を設け、該キャップ体に前記巻テープの一端が繋がれていることを特徴とするものである。
【０００６】
請求項２に係る発明は、請求項１に係る発明に、キャップ体がキャップ形成用紙を筒状に形成したものの一端側を閉じるよう筒軸周りに捻り固めて構成されており、該キャップ体の閉塞端略中央部に紙の塊である芯部を設ける点を付加したものである。
【０００７】
請求項３に係る発明は、請求項１又は請求項２に係る発明に、前記巻テープが前記クラッカー本体に複数仕込まれており、前記キャップ体と複数の前記巻テープとで前記クラッカー本体から離れて飛んで行く飛行物を構成する点を付加したものである。
【０００８】
請求項４に係る発明は、請求項１乃至請求項３の何れか１項に係る発明に、一部が異なる２種類の第一及び第二イラストを表示する装飾手段を設け、該装飾手段が、前記キャップ体の外側面に前記第一イラストにおける前記第二イラストとは異なる一部を表示する第一表示部と、前記クラッカー本体における前記キャップ体により覆われる外側面に前記第二イラストにおける前記第一イラストとは異なる一部を表示する第二表示部と、前記クラッカー本体における前記キャップ体により覆われない外側面に前記第一イラストと前記第二イラストの共通部を表示する第三表示部とで構成されており、前記火薬体を爆発させるまでは前記第三表示部と前記第一表示部とで前記第一イラストを前記クラッカー本体の外側面に表示し、前記火薬体の爆発後は前記第三表示部と前記キャップ体の飛び去りにより出現する前記第二表示部とで前記第二イラストを前記クラッカー本体の外側面に表示する点を付加したものである。
【０００９】
請求項５に係る発明は、請求項４に係る発明に、前記装飾手段が、烏賊又は蛸を模した第一及び第二イラストを表示する点を付加したものである。
【発明の効果】
【００１０】
請求項１に係る発明によれば、クラッカー本体のテープ飛出口に被せるキャップ体を設けるので、火薬体の爆発によりキャップ体と巻テープがクラッカー本体から離れて飛んで行き、キャップ体と巻テープをより遠くへ飛ばすことができると共に、キャップ体に巻テープの一端が繋がれているので、テープ屑の回収も容易に行える。従って、巻テープがクラッカー本体から飛び出すだけでなく、離れてより遠くへ飛んで行くにもかかわわず、テープ屑の回収が容易に行えるクラッカーを提供することができる。
【００１１】
請求項２に係る発明によれば、キャップ体がキャップ形成用紙を筒状に形成したものの一端側を閉じるよう筒軸周りに捻り固めて構成されており、キャップ体の閉塞端略中央部に紙の塊である芯部を設けるので、クラッカーの組み立て工程の増加や製造コストのアップ等の不具合を招くことがない構造簡単で、軽量、安価なキャップ体でありながら、芯部がキャップ体の飛行姿勢を安定させ、キャップ体と巻テープをより美しくより遠くへ飛ばすことができる。
【００１２】
請求項３に係る発明によれば、巻テープがクラッカー本体に複数仕込まれており、キャップ体と複数のテープとでクラッカー本体から離れて飛んで行く飛行物を構成するので、想定外の飛行物の形態（烏賊や蛸に似た形態）により面白さも加わりその場の雰囲気をより盛り上げることができる。
【００１３】
請求項４に係る発明によれば、装飾手段が、火薬体を爆発させるまでは第一イラストをクラッカー本体の外側面に表示し、火薬体の爆発後は第一イラストとは異なる第二イラストをクラッカー本体の外側面に表示するので、想定外の表示変更により面白さも加わりその場の雰囲気をより盛り上げることができる。
【００１４】
請求項５に係る発明によれば、装飾手段が、烏賊又は蛸を模した第一及び第二イラストを表示するので、烏賊や蛸に似た飛行物の形態とマッチし、より面白さが加わりその場の雰囲気をより盛り上げることができる。
【発明を実施するための最良の形態】
【００１５】
以下、本発明の実施の形態を図面に基づいて詳述する。図１は本発明の一実施の形態に係るクラッカーの断面図、図２は本発明の一実施の形態に係るクラッカーの装飾手段の説明図、図３は本発明の一実施の形態に係るクラッカーのキャップ体と巻テープの繋ぎ構造を示す平面図、図４は本発明の一実施の形態に係るクラッカーの使用状態を示す斜視図である。
【００１６】
図１に示すように、クラッカー１は、ボール紙等の厚紙からなるクラッカー本体形成用台紙を円筒状に組み立てたもののの下端開口部の半円部と残り半円部とを、平らにして相対させてホッチキスでとじ合わせ、左側面又は右側面視では図１の実線に示すように下窄まり、正面又は背面視では図１の二点鎖線に示すように下広がりの外形を有する筒状、具体的にはチューブ状のクラッカー本体（以下、単に「本体」という。）２を設け、本体２の上端（先端）に円形のテープ飛出口３を形成すると共に、本体２の外側面に図２に示すような一枚の外装用紙４をセロハンテープや粘着剤で巻装している。
【００１７】
また、クラッカー１は、本体２のテープ飛出口３に被せる本体２とは別体の天付き円筒状のキャップ体５を設け、本体２のテープ飛出口３を覆い塞ぐ円形の天部６と、天部６の外側縁から本体２の外側面（外装用紙４の外表面）に沿って垂下され、本体２の上部に外嵌する円筒状の縁部７とを一体に形成している。縁部７の内側面が本体２の外側面に軽く接触する程度で、縁部７が本体２の上部に外嵌される。
【００１８】
キャップ体５は、本体２の外装用紙４と同じ紙でなる図２に示すような一枚のキャップ形成用紙５ａを円筒状に形成したものの上部開口を閉じるよう、そのものの上半部を筒軸周りに捻り固めて構成されており、キャップ体５の閉塞端である天部６の略中央部に紙の塊である芯部８を設けている。
【００１９】
さらに、クラッカー１は、本体２の外側面に一部が異なる２種類の第一及び第二イラスト９及び１０を表示する装飾手段１１を設け、装飾手段１１は、第一，第二，第表示部１３，１５，１７で構成している。
【００２０】
第一表示部１３は、キャップ体５の外側面に第一イラスト９における第二イラスト１０とは異なる一部（以下、単に「第一イラストの一部」という。）１２を表示し、第二表示部１５は、本体２におけるキャップ体５により覆われる外側面に第二イラスト１０における第一イラスト９とは異なる一部（以下、単に「第二イラスト１０の一部」という。）１４を表示し、第三表示部１７は、本体２におけるキャップ体５により覆われない外側面に第一イラスト９と第二イラスト１０の共通部１６を表示するものである。
【００２１】
キャップ体５の外側面は、縁部７で構成され、縁部７を構成するのはキャップ形成用紙５ａの下半部であるから、キャップ形成用紙５ａの下半部に第一イラスト９の一部１２を印刷し、キャップ形成用紙５ａの下半部で第一表示部１３を構成している。
【００２２】
本体２におけるキャップ体５の縁部７により覆われる外側面は、本体２の外側面に巻装された外装用紙４の上部であるから、外装用紙４の上部に第二イラスト１０の一部１４を印刷し、外装用紙４の上部で第二表示部１５を構成している。
【００２３】
本体２におけるキャップ体５の縁部７により覆われない外側面は、本体２の外側面に巻装された外装用紙４の第二表示部１５とする上部より下側部であるから、外装用紙４の第二表示部１５とする上部より下側部に第一イラスト９と第二イラスト１０の共通部１６を印刷し、外装用紙４の第二表示部１５とする上部より下側部で第三表示部１７を構成している。
【００２４】
また、本体２の外側面は、キャップ体５を被せたときは、キャップ形成用紙５ａの下半部（第一表示部１３）と、外装用紙４の第二表示部１５とする上部より下側部（第三表示部１７）とで構成され、キャップ体５を取り去ったときは、それにより出現する外装用紙４の上部（第二表示部１５）と、外装用紙４の第二表示部１５とする上部より下側部（第三表示部１７）とで構成されるから、キャップ体５を被せたとき、キャップ形成用紙５ａの下半部（第一表示部１３）と、外装用紙４の第二表示部１５とする上部より下側部（第三表示部１７）とで第一イラスト９を本体２の外側面に表示することができ、キャップ体５を取り去ったとき、それにより出現する外装用紙４の上部（第二表示部１５）と、外装用紙４の第二表示部１５とする上部より下側部（第三表示部１７）とで第二イラスト１０を表示することができる。
【００２５】
このように、キャップ形成用紙５ａの下半部（第一表示部１３）と、本体２の外側面に巻装された外装用紙４の上部（第二表示部１５）と、本体２の外側面に巻装された外装用紙４の第二表示部１５とする上部より下側部（第三表示部１７）とで、本体２の外側面に一部が異なる２種類の第一及び第二イラスト９及び１０を表示する装飾手段１１を構成している。
【００２６】
一方、本体２の内部には、火薬体１８と、プラスッチク製で漏斗形の受座１９とを収納している。
【００２７】
火薬体１８は、所定量の火薬を帯状の紙等で棒状に巻装して形成されたもので、適宜長の引紐２０を直結状に連設し、引紐２０を強く引っ張ることによって火薬が爆発するようになっている。
【００２８】
受座１９は、火薬体１８を受け止める円錐部２１と、円錐部２１の頂点から延びて引紐２０を挿通させる細い管部２２とを一体に形成すると共に、円錐部２１の開いた口側の外径を本体２の円筒状上半部内径と略同径に形成し、円錐部２１の開いた口をテープ飛出口３に対向させるよう、管部２２を下に向けた状態で円錐部２１と管部２２とが本体２の上下略中間部に嵌め込まれている。
【００２９】
また、円錐部２１の開いた口側から本体２の円筒状上半部内側面に沿って本体２の上端部まで延びる円筒部２３と、円筒部２３の上端より少し手前から外径を上端に向かって漸次拡径するテーパー部２４とを一体に形成している。円筒部２３の外側面を本体２の円筒状上半部内側面に密着させ、本体２の上半部を円筒状に保形すると共に、クラッカー１の使用時に本体２の円筒状上半部が使用者によって握り潰されるのを防止している。テーパー部２４は、円筒部２３の上端部外側面を本体２の上端部内側面に強く密着させ、受座１９が本体２の内部で軸線方向に移動したり、軸線周りに回転するのを規制している。
【００３０】
そして、火薬体１８は、引紐２０を受座１９の管部２２に挿通させた状態で、円筒部２３の内側下部に仕込まれている。管部２２の下端開口から引き出された引紐２０は、本体２の下端を閉保持しているホッチキスの針から外れた箇所で外部へ引き出されている。
【００３１】
また、本体２の内部には、複数の巻テープ２５と、ボール紙等の厚紙からなる円板状の受圧板２６とを収納している。
【００３２】
巻テープ２５は、細い一定幅のテープ（紙テープ、プラスッチクテープ、金属テープ、布テープ及びテープ基材にアルミニウム等の金属を蒸着させた蒸着テープ等）を芯に適当長さ（例えば１〜２ｍ）巻き付けたものである。
【００３３】
受圧板２６は、円筒部２３の内径と略同径に形成すると共に、外側縁の対称な２箇所から折り曲げ自在に延出する矩形板状の脚部２７を一体に形成し、脚部２７を下向きに折り曲げた状態で、円筒部２３の内側下部に仕込まれた火薬体１８と円筒部２３の上端開口（テープ飛出口３）との間に嵌め込まれ、そこに巻テープ２５の載置面を形成している。脚部２７は、下端を受座１９の円錐部２１に当接係止させて受圧板２６を下側から支えている。
【００３４】
そして、各巻テープ２５は、図３に示すように、繋テープ２８によって結束すると共に、それぞれの巻き終わり端部を繋テープ２８の輪状部２９の内側面に接着固定した状態で、円筒部２３の内側上部であって、受圧板２６と円筒部２３の上端開口（本体２のテープ飛出口３）との間に仕込まれている。
【００３５】
さらに、各巻テープ２５は、それぞれの巻き終わり端部をキャップ体５に繋いだ状態で本体２に仕込まれるもので、例えば、キャップ体５をキャップ形成用紙５ａによって形成する際、キャップ体５の天部６を構成するキャップ形成用紙５ａの上半部の中でも上部に、繋テープ２８をセロハンテープや粘着剤を介して固着して各巻テープ２５の巻き終わり端部を固定しておくことにより、キャップ形成用紙５ａを筒状に形成したものの上半部を筒軸周りに捻り固めるときに、繋テープ２８と共に各巻テープ２５の巻き終わり端部が芯部８に巻き込むれるので、各巻テープ２５の巻き終わり端部がキャップ体５の天部６の略中心部に繋がれるようになる。
【００３６】
上記のように構成されたクラッカー１は、クラッカー１の外装に第一イラスト９が表示されている図１に示す状態で、使用者が本体２におけるキャップ体５の縁部７より下側を片手で把持すると共に、本体２の閉じた下端から引き出されている引紐２０を空いている片手で強く引っ張って火薬体１８を爆発させると、この火薬体１８の爆発により受圧板２６と複数の巻テープ２５が本体２のテープ飛出口３から飛び出すときにキャップ体５の天部６を内側から押すことにより、図４に示すように、本体２とは別体で、本体２のテープ飛出口３に被せてあるキャップ体５が本体２から離れて空中へ飛んで行くと共に、そのキャップ体５に巻き終わり端部を繋いだ各巻テープ２５がキャップ体５から後方へ延びるようにキャップ体５と一緒に本体２から離れて空中へ飛んで行き、これらキャップ体５と各巻テープ２５とで本体２から離れて飛んで行く烏賊や蛸に似た形態の飛行物３０が構成される。また、手元に残る本体２の外装には第二イラスト１０が表示される。
【００３７】
上記のようにクラッカー１は、本体２のテープ飛出口３に被せるキャップ体５を設けるので、火薬体１８の爆発によりキャップ体５と巻テープ２５が本体２から離れて飛んで行き、キャップ体５と巻テープ２５をより遠くへ飛ばすことができると共に、キャップ体５に巻テープ２５の一端が繋がれているので、テープ屑の回収も容易に行える。従って、巻テープ２５が本体２から飛び出すだけでなく、離れてより遠くへ飛んで行くにもかかわわず、テープ屑の回収が容易に行えるクラッカー１を提供することができる。
【００３８】
また、キャップ体５がキャップ形成用紙５ａを筒状に形成したものの一端側を閉じるよう筒軸周りに捻り固めて構成されており、キャップ体５の閉塞端６の略中央部に紙の塊である芯部８を設けるので、クラッカー１の組み立て工程の増加や製造コストのアップ等の不具合を招くことがない構造簡単で、軽量、安価なキャップ体５でありながら、芯部８がキャップ体５の飛行姿勢を安定させ、キャップ体５と巻テープ２５をより美しくより遠くへ飛ばすことができる。また、上記のように巻テープ２５の一端をキャップ体５の天部６の略中心部に繋ぐことでもキャップ体５の飛行姿勢を安定させることができる。
【００３９】
また、巻テープ２５が本体２に複数仕込まれており、キャップ体５と複数のテープ２５とで本体２から離れて飛んで行く烏賊や蛸に似た形態の飛行物３０を構成するので、想定外の飛行物３０の形態により面白さも加わりその場の雰囲気をより盛り上げることができる。
【００４０】
また、一部が異なる２種類の第一及び第二イラスト９及び１０を表示する装飾手段１１を設け、該装飾手段１１が、キャップ体５の外側面に第一イラスト９の一部１２を表示する第一表示部（キャップ形成用紙５ａの下半部）１３と、本体２におけるキャップ体５により覆われる外側面に第二イラスト１０の一部１４を表示する第二表示部１５と、本体２におけるキャップ体５により覆われない外側面に第一イラスト９と第二イラスト１０の共通部１６を表示する第三表示部１７とで構成されており、火薬体１８を爆発させるまでは第三表示部１７と第一表示部１３とで第一イラスト９を本体２の外側面に表示し、火薬体１８の爆発後は第三表示部１７とキャップ体５の飛び去りにより出現する第二表示部１５とで第二イラスト１０を本体２の外側面に表示するので、想定外の表示変更により面白さも加わりその場の雰囲気をより盛り上げることができる。
【００４１】
また、装飾手段１１が、烏賊又は蛸を模した第一及び第二イラスト９及び１０を表示するので、烏賊や蛸に似た飛行物３０の形態とマッチし、より面白さが加わりその場の雰囲気をより盛り上げることができる。図２は烏賊を模した第一及び第二イラスト９及び１０を例示している。
【図面の簡単な説明】
【００４２】
【図１】本発明の一実施の形態に係るクラッカーの断面図である。
【図２】本発明の一実施の形態に係るクラッカーの装飾手段の説明図である。
【図３】本発明の一実施の形態に係るクラッカーのキャップ体と巻テープの繋ぎ構造を示す平面図である。
【図４】本発明の一実施の形態に係るクラッカーの使用状態を示す斜視図である。
【符号の説明】
【００４３】
１  クラッカー
２  クラッカー本体
３  テープ飛出口
４  外装用紙
５  キャップ体
５ａ  キャップ形成用紙
６  天部（閉鎖端）
７  縁部
８  芯部
９  第一イラスト
１０  第二イラスト
１１  装飾手段
１２  第一イラスト９の一部
１３  第一表示部
１４  第二イラスト１０の一部
１５  第二表示部
１６  第一イラストと第二イラストの共通部
１７  第三表示部
１８  火薬体
２５  巻テープ
３０  飛行物
【図１】
2010060238.tif 000003
【図２】
2010060238.tif 000004
【図３】
2010060238.tif 000005
【図４】
2010060238.tif 000006